【手続補正書】
【提出日】平成20年7月31日(2008.7.31)
【手続補正１】
【補正対象書類名】明細書
【補正対象項目名】発明の名称
【補正方法】変更
【補正の内容】
【発明の名称】画像記録装置および画像処理装置
【手続補正２】
【補正対象書類名】明細書
【補正対象項目名】特許請求の範囲
【補正方法】変更
【補正の内容】
【特許請求の範囲】
【請求項１】  インクを吐出するための複数の記録素子が配列された記録ヘッドの記録素子の配列範囲よりも小なる量の記録媒体の搬送を介在した前記記録ヘッドの複数回の走査によって前記記録媒体上の領域に記録すべき画像を完成させる画像記録装置であって、
前記記録ヘッドよりも搬送方向上流側に配置され、前記記録媒体を搬送するための第１搬送ローラと、
前記記録ヘッドよりも搬送方向下流側に配置され、前記記録媒体を搬送するための第２搬送ローラと、
前記第１搬送ローラと前記第２搬送ローラの両方による前記搬送を介在した前記複数回の走査によって記録される第１領域に記録されるべき画像データを、前記複数回の走査夫々で記録すべき画像データに分割するための第１マスクパターンと、
前記第１搬送ローラと前記第２搬送ローラのいずれか一方による前記搬送を介在した前記複数回の走査によって記録される第２領域に記録されるべき画像データを、前記複数回の走査夫々で記録すべき画像データに分割するための、前記第１マスクパターンとは異なる第２マスクパターンとを備え、
前記第１領域に対する走査の回数は、前記第２領域に対する走査の回数と同じであることを特徴とする画像記録装置。
【請求項２】  前記第２領域に画像を記録するための前記複数回の走査の間に行なわれる前記記録媒体の搬送の量は、前記第１領域に画像を記録するための前記複数回の走査の間に行なわれる前記記録媒体の搬送の量よりも小さいことを特徴とする請求項１に記載の画像記録装置。
【請求項３】  前記第２の領域に画像を記録するために使用可能な記録素子の数は、前記第１の領域に画像を記録するために使用可能な記録素子の数よりも少ないことを特徴とする請求項１または２に記載の画像記録装置。
【請求項４】  前記第２マスクパターンの画像データ分配率は、前記第１マスクパターンの画像データ分配率とは異なることを特徴とする請求項１乃至３のいずれかに記載の画像記録装置。
【請求項５】  前記複数回の走査のうち、特定の走査から時間的に離れた走査ほど画像データの分配率が高くなるように、前記第２マスクパターンは定められていることを特徴とする請求項１乃至４のいずれかに記載の画像記録装置。
【請求項６】  前記第２マスクパターンは、前記複数回の走査のそれぞれで搬送方向に連続した複数のドットを形成可能なように前記画像データを分割するためのパターンであることを特徴とする請求項１乃至５のいずれかに記載の画像記録装置。
【請求項７】  前記第２マスクパターンは、前記複数回の走査のそれぞれで搬送方向および走査方向に連続した複数のドットを形成可能なように前記画像データを分割するためのパターンであることを特徴とする請求項６に記載の画像記録装置。
【請求項８】  前記第２マスクパターンは、ブルーノイズ特性を有するマスクパターンであることを特徴とする請求項１乃至７のいずれかに記載の画像記録装置。
【請求項９】  インクを吐出するための複数の記録素子が配列された記録ヘッドの記録素子の配列範囲よりも小なる量の記録媒体の搬送を介在した前記記録ヘッドの複数回の走査によって前記記録媒体上の領域に画像を記録するための画像データを処理する画像処理装置であって、
前記記録ヘッドよりも搬送方向上流側に配置された第１搬送ローラと前記記録ヘッドよりも搬送方向下流側に配置された２搬送ローラの両方による前記搬送を介在した前記複数回の走査によって記録される第１領域に記録されるべき画像データを、前記複数回の走査夫々で記録すべき画像データに分割するための第１マスクパターンと、
前記第１搬送ローラと前記第２搬送ローラのいずれか一方による搬送を介在した前記複数回の走査によって記録される第２領域に記録されるべき画像データを、前記複数回の走査夫々で記録すべき画像データに分割するための、前記第１マスクパターンとは異なる第２マスクパターンとを備え、
前記第１領域に対する走査の回数は、前記第２領域に対する走査の回数と同じであることを特徴とする画像処理装置。
【請求項１０】  記録ヘッドの走査中に前記記録ヘッドからインクを吐出する動作と、前記走査と走査の間に前記記録媒体を搬送する動作と、を行うことにより、前記記録媒体に画像を記録する画像記録装置であって、
前記記録ヘッドよりも搬送方向上流側に配置され、前記記録媒体を搬送するための第１搬送ローラと、
前記記録ヘッドよりも搬送方向下流側に配置され、前記記録媒体を搬送するための第２搬送ローラと、
前記第１搬送ローラと前記第２搬送ローラの両方に保持されている状態で記録が行われる前記記録媒体の第１領域に記録されるべき画像データ、および、前記第１搬送ローラと前記第２搬送ローラのいずれか一方に保持されている状態で記録が行われる前記記録媒体の第２領域に記録されるべき画像データに対して異なるハーフトーン処理を行うためのハーフトーン処理手段と、
を備えることを特徴とする画像記録装置。
【請求項１１】  前記異なるハーフトーン処理は、異なる誤差拡散係数を用いた誤差拡散処理であることを特徴とする請求項１０に記載の画像記録装置。
【請求項１２】  前記異なるハーフトーン処理は、異なるディザマトリスクを用いたディザ処理であることを特徴とする請求項１０に記載の画像記録装置。
【請求項１３】  前記ハーフトーン処理は、画素内のドット配置を定めるドットパターンを選択する処理であり、
前記異なるハーフトーン処理は、異なるドットパターンを選択する処理であることを特徴とする請求項１０に記載の画像記録装置。
【請求項１４】  記録ヘッドの走査中に前記記録ヘッドから記録媒体にインクを吐出して前記記録媒体に画像を記録するための画像データを処理する画像処理装置であって、
前記記録ヘッドよりも搬送方向上流側に配置された第１搬送ローラと前記記録ヘッドよりも搬送方向下流側に配置された第２搬送ローラの両方に保持されている状態で記録が行われる前記記録媒体の第１領域に記録されるべき画像データ、および、前記第１搬送ローラと前記第２搬送ローラのいずれか一方に保持されている状態で記録が行われる前記記録媒体の第２領域に記録されるべき画像データに対して異なるハーフトーン処理を行うためのハーフトーン処理手段を備えることを特徴とする画像処理装置。
【手続補正３】
【補正対象書類名】明細書
【補正対象項目名】０００１
【補正方法】変更
【補正の内容】
【０００１】
【発明の属する技術分野】
本発明は画像記録装置および画像処理装置に関し、詳しくはインクジェットプリンタ等の記録装置において用紙搬送に伴って生ずる相対的なドット形成位置のずれに起因した画質劣化を低減するための画像記録装置および画像処理装置に関するものである。
【手続補正４】
【補正対象書類名】明細書
【補正対象項目名】００１４
【補正方法】変更
【補正の内容】
【００１４】
本発明は、上述の問題を解消するするためになされたものであり、その目的とするところは、記録媒体の後端領域や先端領域など、記録媒体の搬送において記録媒体における相対的な記録位置のずれが大きくなる領域の記録を適切に行なうことができる画像記録装置および画像処理装置を提供することにある。
【手続補正５】
【補正対象書類名】明細書
【補正対象項目名】００１５
【補正方法】変更
【補正の内容】
【００１５】
【課題を解決するための手段】
そのために本発明では、インクを吐出するための複数の記録素子が配列された記録ヘッドの記録素子の配列範囲よりも小なる量の記録媒体の搬送を介在した前記記録ヘッドの複数回の走査によって前記記録媒体上の領域に記録すべき画像を完成させる画像記録装置であって、前記記録ヘッドよりも搬送方向上流側に配置され、前記記録媒体を搬送するための第１搬送ローラと、前記記録ヘッドよりも搬送方向下流側に配置され、前記記録媒体を搬送するための第２搬送ローラと、前記第１搬送ローラと前記第２搬送ローラの両方による前記搬送を介在した前記複数回の走査によって記録される第１領域に記録されるべき画像データを、前記複数回の走査夫々で記録すべき画像データに分割するための第１マスクパターンと、前記第１搬送ローラと前記第２搬送ローラのいずれか一方による前記搬送を介在した前記複数回の走査によって記録される第２領域に記録されるべき画像データを、前記複数回の走査夫々で記録すべき画像データに分割するための、前記第１マスクパターンとは異なる第２マスクパターンとを備え、前記第１領域に対する走査の回数は、前記第２領域に対する走査の回数と同じであることを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
別の形態では、インクを吐出するための複数の記録素子が配列された記録ヘッドの記録素子の配列範囲よりも小なる量の記録媒体の搬送を介在した前記記録ヘッドの複数回の走査によって前記記録媒体上の領域に画像を記録するための画像データを処理する画像処理装置であって、前記記録ヘッドよりも搬送方向上流側に配置された第１搬送ローラと前記記録ヘッドよりも搬送方向下流側に配置された２搬送ローラの両方による前記搬送を介在した前記複数回の走査によって記録される第１領域に記録されるべき画像データを、前記複数回の走査夫々で記録すべき画像データに分割するための第１マスクパターンと、前記第１搬送ローラと前記第２搬送ローラのいずれか一方による搬送を介在した前記複数回の走査によって記録される第２領域に記録されるべき画像データを、前記複数回の走査夫々で記録すべき画像データに分割するための、前記第１マスクパターンとは異なる第２マスクパターンとを備え、前記第１領域に対する走査の回数は、前記第２領域に対する走査の回数と同じであることを特徴とする。
【手続補正８】
【補正対象書類名】明細書
【補正対象項目名】００１８
【補正方法】変更
【補正の内容】
【００１８】
さらに別の形態では、記録ヘッドの走査中に前記記録ヘッドからインクを吐出する動作と、前記走査と走査の間に前記記録媒体を搬送する動作と、を行うことにより、前記記録媒体に画像を記録する画像記録装置であって、前記記録ヘッドよりも搬送方向上流側に配置され、前記記録媒体を搬送するための第１搬送ローラと、前記記録ヘッドよりも搬送方向下流側に配置され、前記記録媒体を搬送するための第２搬送ローラと、前記第１搬送ローラと前記第２搬送ローラの両方に保持されている状態で記録が行われる前記記録媒体の第１領域に記録されるべき画像データ、および、前記第１搬送ローラと前記第２搬送ローラのいずれか一方に保持されている状態で記録が行われる前記記録媒体の第２領域に記録されるべき画像データに対して異なるハーフトーン処理を行うためのハーフトーン処理手段と、を備えることを特徴とする。
【手続補正９】
【補正対象書類名】明細書
【補正対象項目名】００１９
【補正方法】変更
【補正の内容】
【００１９】
また、記録ヘッドの走査中に前記記録ヘッドから記録媒体にインクを吐出して前記記録媒体に画像を記録するための画像データを処理する画像処理装置であって、前記記録ヘッドよりも搬送方向上流側に配置された第１搬送ローラと前記記録ヘッドよりも搬送方向下流側に配置された第２搬送ローラの両方に保持されている状態で記録が行われる前記記録媒体の第１領域に記録されるべき画像データ、および、前記第１搬送ローラと前記第２搬送ローラのいずれか一方に保持されている状態で記録が行われる前記記録媒体の第２領域に記録されるべき画像データに対して異なるハーフトーン処理を行うためのハーフトーン処理手段を備えることを特徴とする。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】